(57)【要約】【課題】ＩＣチップ利用したＩＣタグ等のタグを用いて監視対象区域周辺に設定されたセキュリティゾーンを徘徊する人物を的確に検出し、当該徘徊者に退去勧告を行う入退室管理システムを得る。【解決手段】セキュリティゾーン３ａへの進入者を検出するセンサ４ａ，４ｂと、センサ４ａ，４ｂの検出信号に基づき、監視対象区域１に入る権限を有する人物が所有するタグを検出するタグアンテナ５と、タグアンテナ５によるタグの検出開始からの検出時間を監視するタイマーと、前記タイマーで監視されるタグ検出時間が一定時間経過しても前記タグ検出時間が継続される場合、及び前記タイマーでタグ検出時間が監視できない場合に、セキュリティゾーン３ａへの進入者に対し、セキュリティゾーン３ａからの退去勧告を実施する退去勧告手段６、７ａ，７ｂ、８、１０を備えた。【選択図】図１
2011086180.tif 000002
【特許請求の範囲】
【請求項１】
監視対象区域周辺の所定区域に設定されるセキュリティゾーンを徘徊する徘徊者を検出すると共に、前記徘徊者に対して前記セキュリティゾーンからの退去勧告を行う入退室管理システムであって、
前記セキュリティゾーンへの進入者を検出するセンサと、
前記センサの検出信号に基づき、前記監視対象区域に入る権限を有する人物が所有するタグを検出するタグ検出手段と、
前記タグ検出手段による前記タグの検出開始からの時間を監視する時間監視手段と、
前記時間監視手段で監視されるタグ検出時間が一定時間経過しても前記検出時間が継続される場合、及び前記時間監視手段でタグ検出時間が監視できない場合に、前記セキュリティゾーンへの進入者に対し、前記セキュリティゾーンからの退去勧告を実施する退去勧告手段と、を備えたことを特徴とする入退室管理システム。
【請求項２】
前記退去勧告手段は、前記時間監視手段で監視されるタグ検出時間が一定時間経過しても前記タグ検出時間が継続される場合、及び前記時間監視手段でタグ検出時間が監視できない場合に、前記セキュリティゾーンへの進入者を撮像するカメラ装置を含むことを特徴とする請求項１に記載の入退室管理システム。
【請求項３】
前記時間監視手段で監視されるタグ検出時間が一定時間経過しても前記タグ検出時間が継続される場合、及び前記時間監視手段でタグ検出時間が監視できない場合に、前記セキュリティゾーンへの進入者に対し、前記セキュリティゾーンからの退去を報知する報知手段と、
前記カメラ装置で撮像された映像を表示するモニタと、を含み、
前記報知手段は、前記監視対象区域内もしくは前記監視対象区域の保安を管理する保安センターの関係者が不在の場合に不在設定できるものであり、
前記カメラ装置は、前記報知手段の不在設定により撮像される映像が録画されると共に、前記報知手段の不在設定の解除により、前記録画の存在、もしくは録画の再生を前記モニタに表示するものであることを特徴とする請求項２に記載の入退室管理システム。
【請求項４】
前記退去勧告手段は、前記時間監視手段で監視されるタグ検出時間が一定時間経過しても前記タグ検出時間が継続される場合と、前記時間監視手段でタグ検出時間が監視できない場合とで、前記セキュリティゾーンからの退去勧告の内容を変えるものであることを特徴とする請求項１〜請求項３の何れか一項に記載の入退室管理システム。
【発明の詳細な説明】
【技術分野】
【０００１】
この発明は、入退室管理システムに係り、特に、ＩＣチップを用いたＩＣタグ等のタグによりセキュリティゾーンの徘徊者を検出し、退去勧告を行う入退室管理システムに関するものである。
【背景技術】
【０００２】
機密資料等を保管する居室等、監視対象となる区域（以下、監視対象区域）のセキュリティ管理としては、当該監視対象区域のセキュリティ管理は勿論、監視対象区域周辺での徘徊者、即ち、監視対象区域へ入る権限の無い部外者の徘徊行為を防止する必要がある。それは、監視対象区域へ入る権限を有する人物が何かの用事のために監視対象区域に入る時、あるいは監視対象区域から出る時に、部外者が共連れや押込み等により入り込む、所謂、セキュリティ脅威が発生する可能性があるからである。そのため、監視対象区域周辺にセキュリティゾーンを設定し、そのセキュリティゾーンを監視することにより、部外者の徘徊行為を検出し、当該セキュリティゾーンから退去させることが必要となる。
【０００３】
ところで、従来、監視カメラが設置された建物等の監視対象において、監視カメラによって撮影された画像を警備員や警備対象となる建物の関係者が確認する監視システムが知られている（例えば、特許文献１参照）。
【先行技術文献】
【特許文献】
【０００４】
【特許文献１】特開２００２−１３３５５７号公報（段落０００１、図１）
【発明の概要】
【発明が解決しようとする課題】
【０００５】
前記特許文献１に開示されているような監視カメラの設置により監視するシステムは、監視カメラに撮像された画像を監視人がモニタ越しに監視し、監視区域に入る人物の適否を目視により判断することになる。このため、この監視システムを前記入退室管理システムに適用した場合には、監視対象区域へ入る権限のある人物であるのか、あるいは部外者であるのかの区分がモニタ越しに監視している監視人に判断出来ない課題がある。
【０００６】
この発明は、前記課題を解決するために成されたもので、ＩＣチップ利用したＩＣタグ等のタグを用いて監視対象区域周辺に設定されたセキュリティゾーンを徘徊する人物を的確に検出し、当該徘徊者に退去勧告を行う入退室管理システムを提供するものである。
【課題を解決するための手段】
【０００７】
この発明に係る入退室管理システムは、監視対象区域周辺の所定区域に設定されるセキュリティゾーンを徘徊する徘徊者を検出すると共に、前記徘徊者に対して前記セキュリティゾーンからの退去勧告を行う入退室管理システムであって、前記セキュリティゾーンへの進入者を検出するセンサと、前記センサの検出信号に基づき、前記監視対象区域に入る権限を有する人物が所有するタグを検出するタグ検出手段と、前記タグ検出手段による前記タグの検出開始からの時間を監視する時間監視手段と、前記時間監視手段で監視されるタグ検出時間が一定時間経過しても前記検出時間が継続される場合、及び前記時間監視手段でタグ検出時間が監視できない場合に、前記セキュリティゾーンへの進入者に対し、前記セキュリティゾーンからの退去勧告を実施する退去勧告手段と、を備えたものである。
【発明の効果】
【０００８】
この発明に係る入退室管理システムによれば、監視対象区域へ入る権限の無い部外者が、監視対象区域周辺に設定されたセキュリティゾーンを徘徊する行為を的確に検出でき、セキュリティゾーンでの無用な人物との接触を防止できるため、共連れや押し込み等の脅威を未然に防ぐことができる。
【図面の簡単な説明】
【０００９】
【図１】この発明の実施の形態１に係る入退室管理システムを説明する構成図である。
【図２】この発明の実施の形態１に係る入退室管理システムの動作説明図である。
【図３】この発明の実施の形態１に係る入退室管理システムの動作説明図である。
【発明を実施するための形態】
【００１０】
以下、添付の図面を参照して、この発明に係る入退室管理システムについて好適な実施の形態を説明する。なお、この実施の形態によりこの発明が限定されるものではない。
【００１１】
実施の形態１．
図１は、この発明の実施の形態１に係る入退室管理システムを説明する構成図である。図１において、監視対象区域（以下、居室という。）１には、機密資料等が保管されている。この居室１には、居室１に入る権限を有する人物（以下、関係者という。）のみ入室できるように、入口のドア２に図示しない電気錠等が設けられている。そして、関係者には、関係者であることを示す情報を有するＩＣタグ等のタグが与えられており、例えば、このタグを鍵として、前記電気錠等を開錠して入室することになっている。なお、居室１はドア２を介して共用ゾーン、例えば通路３に接しており、通路３の所定区域３ａがセキュリティゾーンとして設定されている。
【００１２】
通路３には、セキュリティゾーン３ａの境界部位にセキュリティゾーン３ａへの進入者を検出する赤外線センサ等の外部センサ４ａ、４ｂが設置されると共に、関係者が保有するタグの情報をセキュリティゾーン３ａの全域で検出できるタグ検出手段、例えばタグアンテナ５が設置されている。また、居室１のドア２には、後述する動作のカメラ装置が設けられた第１の報知手段、例えばインターホン子機６が設置されている。インターホン子機６は、居室１の内部に設置された第２の報知手段、例えばインターホン親機パソコン７ａ，７ｎと有線ＬＡＮ、あるいは無線ＬＡＮ等の通信線８で接続されており、相互間で互いに音声もしくはブザー音等による報知が出来るように構成されている。
【００１３】
居室１と別区画の領域には居室１の保安を管理する保安センター９が設置されており、保安センター９にも報知手段としてのセンター装置１０が設置されている。そして、センター装置１０も通信線８により、インターホン親機パソコン７ａ，７ｎ、あるいはインターホン子機６と接続されており、相互間で互いに音声もしくはブザー音等による報知が出来るように構成されている。
【００１４】
実施の形態１に係る入退室管理システムは前記のように構成されており、次に、その動作について説明する。図２及び図３は、実施の形態１に係る入退室管理システムの動作説明図である。
【００１５】
まず、セキュリティゾーン３ａを徘徊する人物を検出する場合について、図１および図２のフローを用いて説明する。
【００１６】
外部センサ４ａ、４ｂにより、セキュリティゾーン３ａに人が入ったことを検出し（ＳＴ１）、その検出信号に基づいてタグアンテナ５でタグの検出を開始する（ＳＴ２）。
【００１７】
タグの検出を開始すると共に、前記タグの検出時間を監視する時間監視手段、例えば検出タイマーをセットして（ＳＴ３）、一定時間内にタグが検出できるかを監視する（ＳＴ４、ＳＴ５）。このＳＴ４、ＳＴ５において、タグアンテナ５によりタグが検出されるということは、関係者がセキュリティゾーン３ａに進入したことを検出したことになる。
【００１８】
タグアンテナ５がタグを検出後に、退出タイマーをセットして（ＳＴ６）、一定時間内に当該関係者がタグアンテナ５で検出できない範囲外、即ち、セキュリティゾーン３ａの外へ出たか否かを監視する（ＳＴ７、ＳＴ８）。
【００１９】
ＳＴ８において、退出タイマーがタイムアウトした場合、即ち、一定時間を経過してもタグが検出される場合には、当該人物を、居室１へ入る用事の無い関係者の徘徊行為であると判断する（ＳＴ９）。また、ＳＴ５において、検出タイマーがタイムアウトした場合、即ち、検出タイマーで設定される時間内にタグアンテナ５でタグが検出できない場合には、居室１への入室権限の無い人物（以下、部外者という。）の徘徊行為であると判断する（ＳＴ１０）。
【００２０】
次に、居室１へ入る用事の無い関係者の徘徊行為を検出した場合、あるいは部外者の徘徊行為を検出した場合に、当該徘徊者に対し警告または威嚇等、セキュリティゾーン３ａからの退去勧告を実施する場合について、図１および図３のフローを用いて説明する。
【００２１】
前述のように、ＳＴ９で居室１へ入る用事の無い関係者の徘徊行為を検出した場合、あるいはＳＴ１０で部外者の徘徊行為を検出した場合には、インターホン子機６に設置されたカメラ装置により、セキュリティゾーン３ａの撮像を開始する（ＳＴ１１）。そして、センター装置１０およびインターホン親機パソコン７ａ，７ｎに撮像している映像を送信し（ＳＴ１２）、センター装置１０あるいはインターホン親機パソコン７ａ，７ｎのモニタにインターホン子機６で撮像している映像を表示する（ＳＴ１３）。また、インターホン親機パソコン７ａ，７ｎのモニタにインターホン子機６のカメラ装置で撮像している映像を表示する（ＳＴ１４）。このセンター装置１０あるいはインターホン親機パソコン７ａ，７ｎのモニタに表示された映像により、警備員あるいは居室１内の関係者に徘徊者の存在を通知することになる。なお、徘徊者の存在を検出した場合、インターホン子機６からセンター装置１０およびインターホン親機パソコン７ａ，７ｎに、音声もしくはブザー音等の画像以外の手段で警備員あるいは居室１内の関係者に通知するようにしてもよい。
【００２２】
センター装置１０あるいはインターホン親機パソコン７ａ，７ｎにより、徘徊者の存在通知を受けた警備員あるいは居室１内の関係者は、直接巡回することも可能であるが、インターホン子機６のインターホン機能を用いて、音声による警告、あるいはブザー音等による威嚇により、徘徊者に対するセキュリティゾーン３ａからの退去勧告を行うことができる（ＳＴ１５、ＳＴ１６）。なお、徘徊者に対するセキュリティゾーン３ａからの退去勧告は、自動音声生成手段による警告、あるいは自動発生のブザー音等で実施することも考えられる。そして、インターホン子機６、インターホン子機６に設置されたカメラ装置、センター装置１０、インターホン親機パソコン７ａ，７ｎ、およびそれら相互間を接続する通信線８により退去勧告手段が構成されている。
【００２３】
前記において、ＳＴ９で居室１へ入る用事の無い関係者の徘徊行為を検出した場合と、ＳＴ１０で部外者の徘徊行為を検出した場合とで、インターホン親機パソコン７ａ，７ｎあるいはセンター装置１０のモニタ表示に違いをもたせることも考えられる。これにより、同じ徘徊者でも、居室１へ入る用事の無い関係者の徘徊行為であるのか、部外者の徘徊行為であるのかを、警備員あるいは居室１内の関係者が容易に認識でき、セキュリティゾーン３ａからの退去勧告の内容を変えることができる。
【００２４】
次に、セキュリティゾーン３ａで徘徊者を検出した際に、保安センター９に警備員が、また居室１に関係者が不在の場合について説明する。
【００２５】
警備員が保安センター９を、また居室１の関係者が居室１を不在にするとき、予めセンター装置１０あるいはインターホン親機パソコン７ａ，７ｎに対して不在設定を行う。これにより、インターホン子機６のカメラ装置で撮像されたセキュリティゾーン３ａの映像を録画して保存する。そして、センター装置１０あるいはインターホン親機パソコン７ａ，７ｎのモニタに、不在時に徘徊者の検出があったことをメッセージ表示させる。また、センター装置１０あるいはインターホン親機パソコン７ａ，７ｎの不在設定を解除することで、録画された映像を再生する。
【００２６】
以上のように、実施の形態１に係る入退室管理システムによれば、セキュリティゾーン３ａでの徘徊者を検出することにより、セキュリティゾーン３ａにおける無用な人物との接触を防止することができるため、共連れや押し込み等のセキュリティ脅威を未然に防ぐことができる。また、徘徊行為を検出した場合、インターホン子機６に設置したカメラ装置を使い、その場で警告、威嚇等の退去勧告ができるため、以後の徘徊行為に対する抑止効果が期待できる。
【００２７】
一方、保安センター９の警備員あるいは居室１内の関係者側では、自動で徘徊行為を監視でき、検出できるので常時監視する必要が無くなることは勿論、タグで検出するので、セキュリティゾーン３ａを徘徊する徘徊者を的確に検出でき、業務の軽減や徘徊の見逃しを防止することが期待できる。
【００２８】
更に、居室１へ入る用事の無い関係者の徘徊行為を検出した場合と、部外者の徘徊行為を検出した場合とで、センター装置１０あるいはインターホン親機パソコン７ａ，７ｎのモニタ表示に違いをもたせることにより、警備員あるいは居室１内の関係者は、同じ徘徊者でも、居室１へ入る用事の無い関係者の徘徊行為であるのか、部外者であるのかを容易に認識でき、セキュリティゾーン３ａからの退去勧告の内容を変えることが可能となる。
【符号の説明】
【００２９】
１  居室
２  ドア
３  通路
３ａ  セキュリティゾーン
４ａ，４ｂ  外部センサ
５  タグアンテナ
６  インターホン子機
７ａ，７ｎ  インターホン親機パソコン
８  通信線
９  保安センター
１０  センター装置
【図１】
2011086180.tif 000003
【図２】
2011086180.tif 000004
【図３】
2011086180.tif 000005